(57)【要約】【課題】  テレビジョンカメラを収納するカメラハウジングにおいて、カメラハウジングの向きを変更すること無しに、そのカメラハウジングにカメラを取り付け取り外しが可能で、かつ、取り付けられたカメラの調整を行うことができる。【解決手段】  カメラハウジングを天井等に支持するための支持部材に固定され、かつ、撮影窓を有する第１のカバーと、第１のカバーに回転ヒンジを介して接続された第２のカバーとを有し、前記回転ヒンジから前記撮像窓までの距離が前記支持金具から前記撮像窓までの距離よりも短くされる。【選択図】  図１
2005065324.tif 000002
【特許請求の範囲】
【請求項１】
支持部材を用いて天井に設置され、テレビジョンカメラ等の撮像装置が撮像するための撮像窓を設け、上記撮像装置を収納するカメラハウジングにおいて、
上記支持部材に固定され、上記支持部材側に上記撮像装置の上部を固着するための固定部を設けた第１のカバーと、
上記第１のカバーの下部に設けらた着脱可能に接続された第２のカバーと、
上記撮像装置の上部を上記固定部に取り付けるためのカメラ取付具とを有し、
上記撮像装置が上記撮像窓を介して、撮像対象を撮像したまま上記撮像装置を調整できることを特徴とするカメラハウジング。
【請求項２】
請求項１に記載のカメラハウジングにおいて、
上記撮像装置は、上記取付具を上記固定部に取付けるか、あるいは上記取付具を上記固定部から取り外すことによって、撮像対象を撮像できる位置で上記第１のカバーと取付けられるあるいは取り外されることを特徴とするカメラハウジング。
【発明の詳細な説明】
【技術分野】
【０００１】
本発明は、所定位置に設置されたカメラハウジングにおいて、テレビジョンカメラ等の撮像装置を取り付ける作業または、取り付けられた撮像装置を調整する作業を行う場合、それら作業をより簡便に行うようにするためのカメラハウジングの改良に関する。
【背景技術】
【０００２】
従来から、テレビジョンカメラ等の撮像装置を設置する場合に、設置される撮像装置の保護を目的として、その撮像装置をカメラハウジング内に収納し、そのカメラハウジングの有する撮像窓から入射された光でもって撮像装置が撮像できるようにしている（特許文献１参照。）。この従来の技術によるカメラハウジングの例を、図３および図４を用いて説明する。図３および図４は、テレビジョンカメラ（以下、カメラとも称す）を収納した、従来のカメラハウジングの構成とその設置の様子を説明するための図である。
【０００３】
図３に示すように、天井１３の間際に支持部材である支持金具１６を用いて天井１３へ設置されたカメラハウジング１４には、カメラ１０が収納されている。カメラ１０およびカメラハウジング１４は、この図では左斜め下を撮像するため、その撮像方向にレンズ１１および撮像窓（前面窓）２０が向けられるように方向調整されている。カメラハウジング１４は、主にカメラケース本体１５と背面カバー１７により構成される。カメラハウジング１４の内側には、カメラ固定部１８およびカメラ取付金具１９を用いて、カメラ１０が取り付けられる。
【０００４】
背面カバー１７は、通常使用時などはカメラ１０を保護するために閉じられており、カメラ１０をカメラハウジング１４に出し入れする場合に、開かれるようになっている。
【０００５】
しかしながら、カメラハウジング１４が図３に示す角度で傾くように支持金具１６で角度調整されたままでは、背面カバー１７を開こうとすると、それが天井１３にあたってしまい、開口部がカメラ１０を出し入れ可能な大きさに開かない。また、背面カバー１７が全開したとしても、カメラ１０が天井１３に接触してしまい、カメラ１０を出し入れ出来ない場合がある。
【０００６】
そのため、図４に示すように、カメラハウジング１４にカメラ１０を出し入れする場合、カメラハウジング１４の向きが略水平になるように支持金具１６における取付角度を変更し、背面カバー１７が天井１３にあたらないようにし、かつ、出し入れするカメラ１０も天井１３にあたらないように出し入れする。そうすることで、例えば、カメラハウジング１４内に収納されていたカメラ１０を背面カバー１７を開いた開口部から一旦取り出して、カメラ１０の調整を行う。調整の行われたカメラ１０を再度開口部からハウジング１４内に挿入して、開口部を閉じ、カメラハウジング１４の向きが所定の方向を向くように、支持金具１６における取付角度を再調整する。
【０００７】
【特許文献１】実開平７−３６２１４号公報
【発明の開示】
【発明が解決しようとする課題】
【０００８】
上述の従来技術では、カメラハウジング１４からカメラ１０を取り出したり、または、カメラハウジング１４へカメラ１０を挿入する度に、カメラハウジング１４の向きを一旦略水平にする場合がある。その場合、カメラ１０の撮像方向を所定の方向に設定しなおす必要があるために、カメラハウジング１４の向きが所定の方向を向くように、支持金具１６における取付角度をその都度再調整しなければならない場合がある。
【０００９】
本発明の目的はこの欠点を除去し、カメラハウジングの向きを変更すること無しに、そのカメラハウジングにカメラを取り付けたり取り外すことができるようにすることである。
【００１０】
さらに、本発明の他の目的は、カメラハウジングの向きを変更すること無しに、取り付けられたカメラの調整を行うことが出来るようにする事である。
【課題を解決するための手段】
【００１１】
本発明は上述の課題を解決するために、テレビジョンカメラ等の撮像装置を収納するカメラハウジングの所定位置に前記カメラハウジングを支持するための支持部材を配置すると共に、前記支持部材に固定された第１のカバーと前記第１のカバーに回転ヒンジを介して接続された第２のカバーとを有するカメラハウジングにおいて、前記第１のカバーは撮影窓を有し、前記回転ヒンジから前記撮像窓までの距離が前記支持金具から前記撮像窓までの距離よりも短いとするものである。
【００１２】
さらに、本発明は、前記回転ヒンジは前記撮像窓の下部近傍にあることするものである。
【発明の効果】
【００１３】
以上説明したように本発明によれば、カメラハウジングの向きを変更すること無しに、そのカメラハウジングにカメラを取り付けたり取り外すことができ、さらに、取り付けられたカメラの調整を行うことが出来る。
【発明を実施するための最良の形態】
【００１４】
以下、本発明によるカメラハウジングの実施例について、図面を用いて説明する。図１および図２は、テレビジョンカメラ（以下、カメラとも称す）を収納した、本発明の一実施例のカメラハウジングの構成とその設置の様子を説明するための図である。
【００１５】
図１において、天井１３の間際に支持部材である支持金具３を用いて天井１３へ設置されたカメラハウジング１に、カメラ１０が収納されている。カメラ１０およびカメラハウジング１は、この図では左斜め下を撮像するため、その撮像方向にレンズ１１および撮像窓（前面窓）７が向けられるように方向調整されている。カメラハウジング１は、主にカメラケース本体（第１のカバー）２と下部カバー（第２のカバー）４により構成される。カメラハウジング１の内側には、カメラ固定部８およびカメラ取付金具９を用いて、カメラ１０が取り付けられる。
【００１６】
カメラケース本体２は、上述した支持金具３とカメラ固定部８が固着され、支持金具３によって天井１３に固定される。支持金具３には角度を調整するためのスライド機構を有し、これにより天井１３側に固定される部分とカメラケース本体２側に固定される部分の間で取付角を可変することが出来る。
【００１７】
さらに、カメラ固定部８には、図２に示すようにカメラ取付金具９を固着したカメラ１０が、そのカメラ取付金具９を介して取り付けられる。
【００１８】
下部カバー４は、カメラケース本体２に回転ヒンジ５を介して接続される。この下部カバー４は、カメラハウジング１の下部の大部分を覆うようにされており、この図の例では、撮像窓７の下部近傍に設けられた回転ヒンジ５と、撮像窓の反対面に備えられた止め金具６とを用いてカメラケース本体２に接続される。
【００１９】
そのため、下部カバー４は、通常使用時などはカメラ１０を保護するために閉じられていて、カメラハウジング１内にほこりや雨水等が入り込まないようにしている。
【００２０】
図２に示すように、下部カバー４は、カメラ１０をカメラハウジング１に出し入れしたり、カメラ１０の各部を調整したりする場合に、止め金具６の固定を解除することで、回転ヒンジ５を回転軸にして開かれるようになっている。
【００２１】
ここで下部カバー４が開かれた場合、回転ヒンジ５が撮像窓７の下部近傍にあるため、下部カバー４は天井１３にあたることなく開閉することが出来る。さらに、同じく回転ヒンジ５が撮像窓７の下部近傍にあるため、通常使用時と同じ向きに、例えば、天井１３近くに取り付けられたカメラハウジング１から斜め下方向を撮影するようにカメラハウジング１の角度を下向きにしている状態では、撮像窓７が低い位置に設置されることになる。そのため、撮像窓７よりも下部に回転ヒンジ５が取り付けられていることで、その状態のまま回転ヒンジ５を軸にして開かれた下部カバー４の大部分は、その重量によりカメラハウジング１よりも下方に位置することになる。さらに、下部カバー４が開かれると、下部カバー４側のカメラ１０の表面が、下部カバー４に遮られることなく、あらわにすることが出来る。
【００２２】
そのため、カメラ１０の各部の調整手段が下部カバー４側の表面から調整作業可能な配置であれば、下部カバー４が上述のように開かれることで、通常撮影時のカメラハウジング１の角度を下向きにしている状態のままでもって、例えば、カメラ１０で通常撮影時の撮影対象を撮影したまま、それら各部の調整手段を用
いてカメラ１０を調整することが出来る。
【００２３】
また、カメラ１０をカメラハウジング１に取り付け取り外しする場合であっても、カメラ１０およびカメラ取付金具９を天井１３にあてることなく略下方に取り外しまたは略下方から取り付けすることが出来る。そのため、通常撮影時のカメラハウジング１の角度を下向きにしている状態のままでもって、カメラ１０をカメラハウジング１に取り付けまたは取り外しすることができる。
【図面の簡単な説明】
【００２４】
【図１】本発明の一実施例のカメラハウジングの構成とその設置の様子を説明するための図
【図２】本発明の一実施例のカメラハウジングの構成とその設置の様子を説明するための図
【図３】従来のカメラハウジングの構成例とその設置の様子を説明するための図
【図４】従来のカメラハウジングの構成例とその設置の様子を説明するための図
【符号の説明】
【００２５】
１：カメラハウジング、  ２：カメラケース本体、  ３：支持金具、  ４：下部カバー、  ５：回転ヒンジ、  ６：止め金具、  ７：撮像窓、  ８：カメラ固定部、  ９：カメラ取付金具、  １０：カメラ、  １１：レンズ。
【図１】
2005065324.tif 000003
【図２】
2005065324.tif 000004
【図３】
2005065324.tif 000005
【図４】
2005065324.tif 000006